(57)【要約】      （修正有）【課題】Ｕ型コンクリートブロックを配列して構成されるＵ字溝水路におけるＵ型コンクリートブロック間の継目の水漏れを防止する構造の提供。【解決手段】継目３を塞ぐように底面、両内側面、及び上端面に沿ってシール２を貼着している。シール２は３層構造とし、表面はサンド付き改質アスファルト層、中間層はガラス繊維織布層、下層は加熱することで粘着性を有す粘着アスファルト層とした。【選択図】図１
0003204748.tif 000002
【実用新案登録請求の範囲】
【請求項１】
Ｕ型コンクリートブロックを配列して構成されるＵ字溝水路におけるＵ型コンクリートブロック間のモルタルで構成した継目に発生した亀裂の水漏れを防止する構造において、該継目を塞ぐように底面、両内側面、及び上端面に沿ってシールを貼着した構造とし、ここで、該シールは３層構造として、表面はサンド付き改質アスファルト層、中間層はガラス繊維織布層、下層は加熱することで粘着性を有す粘着アスファルト層とし、さらに上記亀裂には弾性に優れたシリコン系のシーリング材を充填したことを特徴とするＵ字溝水路の水漏れ防止構造。
【請求項２】
Ｕ字溝水路の内面に接着強度を向上させる為のプライマーを塗布してシールを貼着した請求項１記載のＵ字溝水路の水漏れ防止構造。
【考案の詳細な説明】
【技術分野】
【０００１】
本考案はＵ型コンクリートブロックを配列して構成するＵ字溝水路において、継目から水漏れがしないようにする水漏れ防止構造に関するものである。
【背景技術】
【０００２】
近年、水田へ水を供給する水路としてＵ型コンクリートブロックが多用されている。図５は一般的なＵ型コンクリートブックの外観を示す具体例であり、底部（イ）の両側には側部（ロ）、（ロ）が起立し、その断面はＵ型を形成している。このＵ型コンクリートブロックを長手方向に配列することで、Ｕ字溝水路を構成することが出来る。
【０００３】
型枠を作ってコンクリートを流し込むことでＵ字溝水路を構成することは可能であるが、規格化されたＵ型コンクリートブロックは工場で量産することが出来、現場へ搬送して所定の場所に配列するだけの作業でＵ字溝水路を簡単に造成することが出来ることから、近年ではこのＵ型コンクリートブロックを用いた水路が殆どである。
【０００４】
ところで、Ｕ字溝水路は複数のＵ型コンクリートブロックが配列され、継目にはモルタルが詰められて水漏れしないようにしている。しかし、長い年月が経過すると、継目のモルタルにはヒビが入って該継目から水漏れを生じるケースが多発する。特に、道路を大型車両が走行する際に発生する振動にてモルタルが剥れ、また地震が発生すると継目に亀裂が生じる。
【０００５】
稲作では田植え時期から穂が出るまでの期間は水を必要とし、その為に水田には水が満ちているのが常であるが、穂が実って収穫の稲刈り時期が近づくと水田に水を入れることはなく、むしろ水田を乾燥する必要がある。このような時期にＵ字溝水路の継目から漏れる水が水田に流れ込むと、水田を乾燥することが出来ず、その結果、稲穂が十分に実ることが出来なくなる。
【０００６】
したがって、米の収穫量は減少すると共に品質も低下する。一方、収穫時にはコンバインが水田へ入って稲刈りを行なうことになるが、Ｕ字溝水路から漏れる水が水田に流れ込むならば、水田は乾燥しなくて軟らかく、非常に重いコンバインがスムーズに走行することが出来なくなる。勿論、田植え後で水が必要な時期であっても、必要以上の水は好ましくない。
【０００７】
特開平７−１２７１１９号に係る「排水路の構造」は、連続して設けられる排水路同士の継目を簡単な構成で止水でき、敷設作業を容易かつ効率的に行えるようにしている。
すなわち、Ｕ字溝本体の一方の側部端面に沿って連続した係止溝が形成され、対応する帯状に形成された水膨張性止水材が装着される。係止溝内部には係止突起が幅方向に突出形成され、水膨張性止水材の脱落を防止する。敷設時には、水膨張性止水材が設けられた一方の側部端面を他のＵ字溝本体の他方の側部端面に向けて設置し、水分を供給するのみでこれら側部端面間の隙間で水膨張性止水材が水膨張して止水を確実に行える。
【０００８】
上記排水路の構造はＵ字溝水路を造成する時には有効ではあるが、時期が経過して水膨張性止水材が退化すれば水漏れを生じる。しかも、水膨張性止水材はＵ字溝本体の側部端面に取付けられる為に、新たな水膨張性止水材と交換する場合には、Ｕ字溝本体を一旦撤去しなくてはならず、Ｕ字溝水路を新に構築する以上の工事と成ってしまう。
【特許文献１】特開平７−１２７１１９号に係る「排水路の構造」
【考案の開示】
【考案が解決しようとする課題】
【０００９】
このように、Ｕ型コンクリートブロックを配列して構成されるＵ字溝水路には上記のごとき問題がある。本考案が解決しようとする課題はこの問題点であり、Ｕ型コンクリートブロックの継目から水漏れを生じないようにシールしたＵ字溝水路の継目水漏れ防止構造を提供する。
【課題を解決するための手段】
【００１０】
本考案に係るＵ字溝水路は、Ｕ型コンクリートブロックを配列して構成し、そしてＵ型コンクリートブロックの継目にはシールを貼着している。勿論、従来通り継目にはモルタルが詰められているが、シールはＵ字溝水路の継目内面に貼着される。そして、該シールは新に設置されるＵ字溝水路に限らず、既存のＵ字溝水路の継目をシールする為に使用出来る。
【００１１】
ここで、シールの具体的な構造は限定しないことにするが、第１に耐久性を有し、下面には接着層を設けている。加熱することでＵ字溝水路の継目に簡単に接着され、剥れることがないように固着される。又、上面は常に水の流れにさらされる訳であって、摩耗し難く強度的にも優れたアスファルト層と成っている。
【考案の効果】
【００１２】
本考案に係るシール構造は、Ｕ型コンクリートブロックを配列したＵ字溝水路の継目にシールを貼着するものであり、継目からの水漏れを防止することが出来る。Ｕ字溝水路を造成して新しい時に水漏れは無いが、時期が経過することでＵ型コンクリートブロックは老朽化し、特に継目に詰めたモルタルが退化して水漏れを発生するが、シールを貼り付けることで簡単にしかも大きな費用をかけることなく水漏れを防止できる。
【００１３】
水漏れが防止されることで、稲が実った収穫時には水田を乾燥させることが出来、その為に、収穫量が増えると共に米の品質は向上する。また、田植え後の水田に適量の水を満たすことが出来る。そして、稲刈り時に、コンバインは乾燥した水田に入り易く、スムーズに走行して効率よく稲刈り作業を行うことが出来る。
【図面の簡単な説明】
【００１４】
【図１】Ｕ字溝水路の継目にシールを貼着した本考案の実施例。
【図２】具体的なシールの断面構造。
【図３】Ｕ字溝水路の継目にプライマーとシーリング材を介してシールを貼着した断面図。
【図４】Ｕ字溝水路の継目にシールを貼着した横断面図。
【図５】Ｕ字溝水路を構成する一般的なＵ型コンクリートブロックの外観図。
【考案を実施するための形態】
【００１５】
図１はＵ字溝水路の継目にシールを貼着したシール構造を示す本考案の実施例である。同図の１はＵ型コンクリートブロック、２はシール、３は継目をそれぞれ表わしている。Ｕ字溝水路はＵ型コンクリートブロック１，１・・・を長手方向に配列して構成し、継目３，３・・・にはモルタルが詰められることで、Ｕ型コンクリートブロック１，１・・・が段差なく接続され、また継目３，３・・・からの水漏れを防止している。したがって、Ｕ字溝水路には水が流れて必要な時に水田へ供給することが出来る。
【００１６】
このＵ字溝水路は水田へ水を供給する為のもので、水田より僅かに高い位置に設置され、該Ｕ字溝水路の所々には流入口が設けられ、この流入口を開くことで水田へ水が流れるように成っている。勿論、排水用の水路もあるが、排水用水路は水田より低い位置に設けられ、その為に該水田に流れ込む水漏れが問題視されることはない。
【００１７】
ところで、時の経過と共にＵ字溝水路を構成する上記Ｕ型コンクリートブロック１の内面は水の流れで侵食され、特に継目３に詰めたモルタルには亀裂が入り隙間穴が発生する。この隙間穴を埋める為に再度モルタルを詰めることも可能であるが、本考案では継目３を被覆するようにシール２を貼着して隙間穴を塞ぐことが出来る。すなわち、シール２の貼着にて水漏れが防止される。
【００１８】
図２は継目３に貼り付けるシール２を示す具体例である。シール２は一定幅の帯状をなし、３層にて構成している。上層はサンド付き改良アスファルト層４、中間層はガラス繊維織布層５、下層は粘着性アスファルト層６と成っている。サンド付き改質アスファルト層は堅固で、水の流れに対して侵食され難く耐久性があり、中間のガラス繊維織布層５は防水性を備えている。そして、下層の粘着性アスファルト層６を加熱して柔らかくしたところで継目３を被覆するように内面に貼り付けることが出来る。粘着性アスファルト層６は水路内面に接着して継目３に発生した隙間穴を塞ぐことが出来る。
【００１９】
図３はこのシート２をＵ字溝水路の継目３にシート２を貼着した場合の断面図であり、Ｕ型コンクリートブロック１，１の内面は侵食して荒れた面と成っている為に、接着強度を向上する為にプライマー７を塗布する。また、継目３にはシーリング材８を充填する。シーリング材８としてモルタルでもよいが、弾性に優れて継目３の動きに対して追従するシリコン系のシーリング材８を使用し、コーキングガンを使用して継目３に充填することも出来る。
【００２０】
勿論、施工時にはモルタルを継目３に詰めてＵ型コンクリートブロック１，１・・・を繋ぎ、継目３から水漏れが発生した時の補修用としてシリコン系のシーリング材８を用いることも可能である。すなわち、モルタルで構成した継目３の亀裂にシリコン系シーリング材８をコーキングガンにて充填する。
【００２１】
図４はＵ字溝水路の継目３にシール２を貼着した横断面を示している。該シール２は底面９、内側面１０，１０、及び上端面１１，１１に沿って隙間なく貼着される。継目３に亀裂が生じる箇所は所々であり、水漏れを生じている箇所を確認した所でＵ字溝水路を流れる水を止めて該シール２を貼着することが出来る。図４に示すように貼り付けるだけの作業であり、Ｕ型コンクリートブロック１を掘り起こす必要はなく、至って簡単で手軽に水漏れの補修することが出来る。
【００２２】
ところで、図２に示したシール構造はあくまでも１具体例であって、この実施例に限定はしない。図２のシール材２は、厚さが３．０ｍｍ、質量が３．７５ｋｇ／ｍ２、引張り強さは長手方向及び幅方向共に４００Ｎ／ｃｍと成っている。
【符号の説明】
【００２３】
１   Ｕ型コンクリートブロック
２   シール
３   継目
４   サンド付き改質アスファルト層
５   ガラス繊維織布層
６   粘着性アスファルト層
７   プライマー
８   シーリング材
９   底面
10   内側面
11  上端面
【図１】
0003204748.tif 000003
【図２】
0003204748.tif 000004
【図３】
0003204748.tif 000005
【図４】
0003204748.tif 000006
【図５】
0003204748.tif 000007